【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
支持体上に、識別情報及び書誌情報から選ばれる少なくとも１つを担持する情報担持層、光学変化素子層、及び保護層を有する画像記録体において、前記光学変化素子層の刻印の頻度及び／又は深さが、少なくとも刻印パターンの周期のつなぎ目において連続であることを特徴とする画像記録体。
【請求項２】
支持体上に、識別情報及び書誌情報から選ばれる少なくとも１つを担持する情報担持層、光学変化素子層、及び保護層を有する画像記録体において、前記光学変化素子層の刻印の特定の角度より視認した場合の反射波長が刻印パターンの周期のつなぎ目において連続であることを特徴とする画像記録体。
【請求項３】
支持体上に、諧調を有する画像領域及び書誌情報を担持する情報担持層、光学変化素子層、及び保護層を有する画像記録体において、前記光学変化素子層は、前記画像領域の顔画像を中心とする領域上の光学変換効果がそれ以外の領域上にある光学変換効果より小さいことを特徴とする画像記録体。
【請求項４】
支持体上に、諧調を有する画像領域と書誌情報を担持する情報担持層、光学変化素子層、及び保護層を有する画像記録体において、前記画像記録体側もしくは表面側のいずれかの層の全面もしくは光学変換素子層の刻印パターンの周期のつなぎ目に相当する部分に、または、少なくとも画像領域と書誌情報に一部がかかる割印状に、凹凸もしくは光透過率の異なる層を有することを特徴とする画像記録体。
【請求項５】
支持体上に、識別情報及び書誌情報を担持する情報担持層、光学変化素子層、及び保護層を有する画像記録体において、前記光学変化素子層と前記保護層の屈折率の比が０．８以上１．２以下であることを特徴とする画像記録体。
【請求項６】
支持体上に、識別情報及び書誌情報を担持する情報担持層、光学変化素子層、及び保護層を有する画像記録体において、前記光学変化素子層と前記保護層の線熱膨張率の比が０．５以上２．０以下であることを特徴とする画像記録体。
【請求項７】
前記保護層が、活性光線で硬化した硬化透明保護層であることを特徴とする請求項１乃至請求項８のいずれか１項に記載の画像記録体。
【請求項８】
前記光学変化素子層が、ホログラム、回折格子、凹凸レリーフ体である特徴とする請求項１乃至請求項８のいずれか１項に記載の画像記録体。
【請求項９】
支持体上に、少なくとも光学変化素子層、接着層が設けられる転写箔であり、この転写箔がロール状で、前記光学素子変化層の刻印の頻度及び／又は深さが長手方向の刻印パターンの周期のつなぎ目において連続であることを特徴とする光学変化素子転写箔。
【請求項１０】
支持体上に、少なくとも光学変化素子層、接着層が設けられる転写箔であり、この転写箔がロール状で、前記光学変化素子層の刻印の特定の角度より視認した場合の反射波長が刻印パターンの周期のつなぎ目において連続であることを特徴とする光学変化素子転写箔。
【請求項１１】
支持体上に、少なくとも光学変化素子層、接着層が設けられる転写箔であり、この転写箔がロール状で幅手方向の一部分は少なくとも光学変換効果がそれ以外の領域上にある光学変換効果より小さく、この光学変換効果が小さい部分が転写後画像領域に重複することを特徴とする光学変化素子転写箔。
【請求項１２】
前記保護層が、活性光線で硬化した硬化透明保護層であることを特徴とする請求項９乃至請求項１１のいずれか１項に記載の光学変化素子転写箔。
【請求項１３】
前記支持体と前記光学変化素子層の間に剥離層、保護層がこの順に設けられ、前記保護層が、活性光線で硬化したことを特徴とする請求項９乃至請求項１１のいずれか１項に記載の光学変化素子転写箔。
【請求項１４】
前記光学変化素子層が、ホログラム、回折格子、凹凸レリーフ体であることを特徴とする請求項９乃至請求項１３のいずれか１項に記載の光学変化素子転写箔。
【請求項１５】
支持体上に、識別情報及び書誌情報から選ばれる少なくとも１つを担持する情報担持層を設け、この情報担持層上に刻印の頻度及び／又は深さが、少なくとも刻印パターンの周期のつなぎ目において連続である光学変化素子層を設け、さらにこの光学変化素子層上に保護層を設けたことを特徴とする画像記録体作成方法。
【請求項１６】
支持体上に、識別情報及び書誌情報から選ばれる少なくとも１つを担持する情報担持層を設け、この情報担持層上に刻印の特定の角度より視認した場合の反射波長が刻印パターンの周期のつなぎ目において連続である光学変化素子層を設け、さらにこの光学変化素子層上に保護層を設けたことを特徴とする画像記録体作成方法。
【請求項１７】
支持体上に、識別情報及び書誌情報から選ばれる少なくとも１つを担持する情報担持層を設け、この情報担持層上に刻印の特定の角度より視認した場合の反射波長が刻印パターンの周期のつなぎ目において連続である光学変化素子層を設け、さらにこの光学変化素子層上に保護層を設けたことを特徴とする画像記録体作成方法。
【請求項１８】
支持体上に、識別情報及び書誌情報から選ばれる少なくとも１つを担持する情報担持層を設け、この情報担持層上にロール状で幅手方向の一部分は少なくとも光学変換効果がそれ以外の領域上にある光学変換効果より小さく、この光学変換効果が小さい部分が転写後画像領域に重複する光学変化素子層を設け、さらにこの光学変化素子層上に保護層を設けたことを特徴とする画像記録体作成方法。
【請求項１９】
前記保護層が、活性光線で硬化した硬化透明保護層であることを特徴とする請求項１５乃至請求項１８のいずれか１項に記載の画像記録体作成方法。
【請求項２０】
前記光学変化素子層が、ホログラム、回折格子、凹凸レリーフ体であることを特徴とする請求項１５乃至請求項１８のいずれか１項に記載の画像記録体作成方法。
【手続補正２】
【補正対象書類名】明細書
【補正対象項目名】００１９
【補正方法】変更
【補正の内容】
【００１９】
請求項１３に記載の発明は、『前記支持体と前記光学変化素子層の間に剥離層、保護層がこの順に設けられ、前記保護層が、活性光線で硬化したことを特徴とする請求項９乃至請求項１１のいずれか１項に記載の光学変化素子転写箔。』である。


【手続補正３】
【補正対象書類名】明細書
【補正対象項目名】００２０
【補正方法】変更
【補正の内容】
【００２０】
請求項１４に記載の発明は、『前記光学変化素子層が、ホログラム、回折格子、凹凸レリーフ体であることを特徴とする請求項９乃至請求項１３のいずれか１項に記載の光学変化素子転写箔。』である。


【手続補正４】
【補正対象書類名】明細書
【補正対象項目名】００２６
【補正方法】変更
【補正の内容】
【００２６】
請求項２０に記載の発明は、『前記光学変化素子層が、ホログラム、回折格子、凹凸レリーフ体であることを特徴とする請求項１５乃至請求項１８のいずれか１項に記載の画像記録体作成方法。』である。


【手続補正５】
【補正対象書類名】明細書
【補正対象項目名】００７２
【補正方法】変更
【補正の内容】
【００７２】
このため、図１６（ｂ）のように、画像記録体の表面側の硬化保護層８３の全面に凹凸層５００を設けているが、図１６（ｂ）のように光透過率の異なる層５０１を設けてもよく、凹凸層５００もしくは透過率の異なる層５０１により刻印パターン４３０ａの周期のつなぎ目４３０ａ１を目立たなくすることができる。また凹凸層５００もしくは透過率の異なる層５０１は、光学変化素子層の刻印パターンの周期のつなぎ目に相当する部分にのみ設けてもよく、この場合も同様に刻印パターン４３０ａの周期のつなぎ目４３０ａ１を目立たなくすることができる。


【手続補正６】
【補正対象書類名】明細書
【補正対象項目名】００７５
【補正方法】変更
【補正の内容】
【００７５】
さらに、この実施の形態の画像記録体は、光学変化素子転写層４３０と硬化保保護層８３、及び硬化透明保護転写層６３０の線熱膨張率の比が０．５以上２．０以下であり、このように光学変化素子層と保護層の線熱膨張率の比を設定することで、偽変造が防止でき、しかも耐熱性が向上する。


【手続補正７】
【補正対象書類名】明細書
【補正対象項目名】０１０６
【補正方法】変更
【補正の内容】
【０１０６】
この発明で用いられる光学変化素子層は、例えばレリーフ型ホログラムが好ましく用いられる。レリーフ型ホログラムはホログラム形成層とホログラム効果層とを積層してなる。ホログラム形成層は、この発明に反しない限り各種樹脂が選択可能である。例えば、アクリルウレタン樹脂、エポキシ変性アクリル樹脂、アクリルアミド樹脂、ポリスチレン樹脂、不飽和ポリエステル樹脂等樹脂単独、併用、または紫外線硬化剤を添加し、紫外線硬化、または電子線硬化性樹脂による電子線硬化により形成することができる。前記の各種材料を適宜選択することにより、この発明の屈折率、線熱膨張率を得ることができる。


【手続補正８】
【補正対象書類名】明細書
【補正対象項目名】０１０７
【補正方法】変更
【補正の内容】
【０１０７】
前記等の各種材料から形成された樹脂層に、ホログラムの干渉模様が凹凸状に形成されているホログラム原版を加圧圧縮させて、凹凸形状を樹脂表面に転写し、硬化し、さらに凹凸形状の表面に十分な透明性とある角度での大きな反射性を兼ね備え、かつホログラム形成層と屈折率の異なる材料からなる薄膜のホログラム効果層を形成することにより得ることができる。ホログラム効果層としては、一般に使用される金属蒸着層、金属酸化物蒸着層等を適宜使用することができる。昼光、照明光等の白色光で像が再生されるホログラムは、通常の状態でもホログラム像が観察されるので、識別性が高く偽変造防止性が高い。
［実施例］
以下、実施例を挙げてこの発明を詳細に説明するが、この発明の態様はこれに限定されない。なお、以下において「部」は「重量部」を示す。


【手続補正９】
【補正対象書類名】明細書
【補正対象項目名】０１２８
【補正方法】変更
【補正の内容】
【０１２８】
この実施例１乃至実施例６、比較例１及び比較例１について  屈折率  ＪＩＳ  Ｋ６９１１により、また線熱膨張ＪＩＳ  Ｋ６７１４により、視認性及び耐熱性について評価を行なった。その結果を表１及び表２に示す。
表１
2001013860.tif 000001
表２
2001013860.tif 000002
評価：  視認性
顔識別問題なし          ○
識別難あり、または不可  ×
耐熱性
温度９０℃
変化なし                ○
層剥離、亀裂あり        ×


【手続補正１０】
【補正対象書類名】図面
【補正対象項目名】図１６
【補正方法】変更
【補正の内容】
【図１６】
2001013860.tif 000003